【事件の表示】
　平成１０年特許願第３７２２４０号「画像処理システム及びその制御方法」拒絶査定不服審判事件〔平成１２年　７月１４日出願公開、特開２０００−１９４５２７〕について、次のとおり審決する。
【結　論】
　本件審判の請求は、成り立たない。
【理　由】
【１】本願発明
　本願は、平成10年12月28日の出願であって、その請求項1に係る発明は、平成15年9月24日付け手続補正書によって補正された明細書の特許請求の範囲に記載された以下のとおりのものである。
「1．同期転送方式でデータ転送が可能なシリアルバスにより接続された、画像処理装置と複数の画像形成装置からなる画像処理システムであって、
　前記画像処理装置は、
　前記複数の画像形成装置のそれぞれから、画像形成装置の状態を受信する状態受信手段と、
　前記複数の画像形成装置のそれぞれから、給紙完了通知を受信する給紙完了受信手段と、 
　前記給紙完了受信手段によって前記複数の画像形成装置のそれぞれから前記給紙完了通知が受信された後、同期転送方式で前記複数の画像形成装置に画像データのデータパケットを転送する画像データ転送手段とを有し、
　前記複数の画像形成装置のそれぞれは、
　画像形成装置の状態を前記画像処理装置に送信する状態送信手段と、
　前記給紙完了通知を前記画像処理装置に送信する給紙完了通知手段と、
　同期転送方式で前記データパケットを受信する画像データ受信手段と、
　前記画像データに基づいて画像形成する画像形成手段とを有することを特徴とする画像処理システム。
　
【２】引用例　
　原査定の拒絶の理由に引用された特開平8-36474号公報（以下、「引用例1」という。）には、図面とともに、
「図1は、本発明の一実施例の印刷システムの構成を示すブロック図である。図1（a）は印刷システム全体のブロック図であり、図1（b）は印刷装置のネットワークインターフェース部のブロック図である。図1（a）に示した印刷システムは、印刷データを送信するコンピュータ1と印刷を行う印刷装置2および3とを有し、それぞれがネットワーク網4で接続される構成となっている。印刷装置2は、ネットワーク網4を介してコンピュータ1との間に行われる通信を制御するネットワークインターフェース部（以下、ネットワークI／F部と記述する）20と、受信した印刷データをビットデータに展開する印刷データ処理部30と、印刷データ処理部30で展開されたビットデータを受け取って用紙に印刷処理を行うプリントエンジン部40とを有する構成となっている。印刷装置3も、図1（a）において省略しているが印刷装置2と同様の構成を有する。ネットワーク網4は、コンピュータ1と印刷装置2および3とを接続し、パケットを用いてコマンド、データ、アドレス等の情報の送受信を行う。図1（b）を用いて、図1（a）に示したネットワークI／F部20の詳細な構成について説明する。ネットワークI／F部20は、電気信号の制御を行う物理インターフェース処理部（以下、物理I／F処理部と記述する）21と、受信パケット処理部22と、コマンド処理部23と、アドレス管理部24と、プリンタ状態確認部25と、発信パケット生成部26と、プリンタI／Oインターフェース処理部（以下、プリンタI／O・I／F処理部と記述する）27とを有する構成となっている。物理I／F処理部21はネットワーク網4を介してコンピュータ1から送信されたパケットを受信して受信パケット処理部22に格納する。受信パケット処理部22は、受信したパケットから発信元アドレスおよび宛先アドレスを取り出してアドレス管理部24へ格納し、印刷データを取り出してコマンド処理部23へ格納する。コマンド処理部23は、パケットの中から一斉印刷コマンドを探し、一斉印刷コマンドがある場合には、一斉印刷宛先アドレスを取り出してアドレス管理部24へ格納後、受信パケット処理部22およびプリンタ状態確認部25に一斉印刷コマンドを送り、一斉印刷の指示を与える。受信パケット処理部22では、発信元アドレスと一斉印刷宛先アドレスとをアドレス管理部24から読み出し、読み出した発信元アドレスおよび一斉印刷宛先アドレスに該当するコンピュータから送信されるパケットの受信準備を行う。またコマンド処理部23は、印刷データをプリンタI／O・I／F処理部27へ格納する。アドレス管理部24は、受信パケットの発信元アドレスおよび一斉印刷宛先アドレスを管理する。プリンタ状態確認部25は、コマンド処理部23から一斉印刷コマンドを受け取ると、プリンタI／O・I／F処理部27を介して印刷データ処理部30に印刷装置の状態を確認後、印刷装置の印刷可否状態の情報を発信パケット生成部26に渡す。発信パケット生成部26は、アドレス管理部24に格納されている受信パケットの発信元アドレスを参照後、物理I／F処理部21およびネットワーク網4を介して印刷装置の印刷可否情報をコンピュータ1に応答する。プリンタI／O・I／F処理部27は、印刷データ処理部30との間の印刷データや印刷装置の状態の通信を制御する。次に、図2、図3、および図4を図1と対応させて本実施例の動作について説明する。図2は、コ��ピュータにおける通信処理手続を示すフローチャートである。図3、印刷装置における通信処理手続を示すフローチャートである。図4は、コンピュータから送信されるパケットのデータ構成例を示す図である。図4に示すように、一斉印刷を行う際にコンピュータ1から送信されるパケットは、一斉印刷コマンドおよび一斉印刷宛先アドレスを含んでいる。図2のコンピュータ側の通信処理手続について説明する。コンピュータ1は一斉印刷対象印刷装置である印刷装置2に図4に示したパケットを送信し（S101）、印刷装置2からの印刷データ受信の可否の応答を待つ（S102）。印刷装置2において後述する受信準備の処理終了後、コンピュータ1が印刷装置2からの受信可の応答を受け取ると、同じく一斉印刷対象印刷装置である印刷装置3にも一斉印刷コマンドを送信し（S103）、印刷装置3からの印刷データ受信の可否の応答を待つ（S104）。そして、一斉印刷対象の全印刷装置（本実施例では印刷装置2および印刷装置3）において受信準備の処理終了後、コンピュータ1が一斉印刷対象の全印刷装置からの受信可の応答を受け取ると、印刷装置2に最初の印刷データの送信を行い（S105）、一斉印刷対象の全印刷装置からの印刷データ受信の応答を待つ（S106）。一斉印刷対象の全印刷装置において後述する一斉印刷データ受信の処理終了後、コンピュータ1が一斉印刷対象の全印刷装置からの受信応答を受け取ると、次の印刷データの送信を行い、一斉印刷対象の全印刷装置からの印刷データ受信の応答を待つ。同様の処理を繰り返し、最後の印刷データ（印刷データn）の送信を行い（S107）、一斉印刷対象の全印刷装置において一斉印刷の処理終了後、コンピュータ1が一斉印刷対象の全印刷装置からの印刷データ受信の応答を待ち（S108）、受信の応答を受け取ると終了する。図3の印刷装置側の通信処理手続について説明する。印刷装置2の受信パケット処理部22は、物理I／F処理部21を介してコンピュータ1から送信されたパケットを受信し、宛先アドレスを取り出して自装置宛てのパケットであることを確認すると、発信元アドレスおよび宛先アドレスをアドレス管理部24へ格納し、印刷データをコマンド処理部23へ格納する（S200）。格納した宛先アドレスが通常のアドレスか否か（すなわち他のコンピュータからの送信か、コンピュータ1からの送信か）を調べ（S201）、通常の宛先アドレスであれば、コマンド処理部23は受信したパケットの中に一斉印刷コマンドがあるか否かを調べる（S202）。一斉印刷コマンドが有る場合には、一斉印刷宛先アドレスを取り出してアドレス管理部24へ格納し（S203）、一斉印刷コマンドを受信パケット処理部22およびプリンタ状態確認部25に送り、一斉印刷が要求されたことを通知する（S204）。受信パケット処理部22は、コマンド処理部23から一斉印刷コマンドを受け取ると、発信元アドレスと一斉印刷宛先アドレスとをアドレス管理部24から読み出し、読み出した発信元アドレスおよび一斉印刷宛先アドレスに該当するコンピュータから送信されるパケットを優先して受信するように準備する（S205）。プリンタ状態確認部25は、プリンタI／O・I／F処理部27を介して印刷データ処理部30に印刷装置の状態を確認後、印刷データ受信の可否を発信パケット生成部26および物理I／F処理部21を介してコンピュータ1へ応答する（S206）。S202からS206までの受信準備の処理を行い、一斉印刷データの受信を待機している状態を一斉印刷モードと呼ぶ。言い替えると、一斉印刷コマンドを受信して受信パケットのアドレスを設定後、一斉印刷データの受信が可能な状態である。一斉印刷モード時にパケットを受信すると（S200）、宛先アドレスが通常のアドレスか否か（すなわち他のコンピュータからの送信か、コンピュータ1からの送信か）を調べ（S201）、通常の宛先アドレスでなければ（すなわちコンピュータ1からの送信であれば）、宛先アドレスが一斉印刷宛先アドレスであるか否か（一斉印刷データが送信されたか否か）を調べ（S207）、一斉印刷宛先アドレスでなければ受信したパケットを廃棄する（S208）。一斉印刷宛先アドレスであれば受信した印刷データをコマンド処理23からプリンタI／O・I／F処理部27へ格納し（S209）、コンピュータ1から送信されたパケット（印刷データ）の受信が終了したか否かを調べる（S210）。コンピュータ1から送信されるパケットの受信が終了していなければ、パケットの受信を繰り返す（S200ないしS210）。また、一斉印刷モード時に他のコンピュータから送信要求があった場合には、発信元アドレスが他のコンピュータであることを確認し（S201）、受信した印刷データの中に一斉印刷コマンドがないことを確認し（S202）、自装置が一斉印刷モードか否かを調べ（S213）、一斉印刷モードでなければ他のコンピュータから送信されたパケットを受信して印刷する（S214）。一斉印刷モードであればBUSY情報を発信パケット生成部26を経由して発信元コンピュータに返答して受信の保留を行う（S215）。印刷装置3も一斉印刷対象印刷装置なので、印刷装置2と同様に一斉印刷モードに設定した後（S200ないしS206）、コンピュータ1から送信されたパケットを受信して（S200）、宛先アドレスが通常のアドレスか否かを調べ（S201）、宛先アドレスが印刷装置2に対する一斉印刷データか否かを調べる（S207）。受信したパケットが一斉印刷データでなければ受信したパケットを廃棄し（S208）、一斉印刷データであれば、印刷データを取り出してプリンタI／O・I／F処理部27へ格納し（S209）、コンピュータ1から送信されたパケット（印刷データ）の受信が終了したか否かを調べる（S210）。コンピュータ1から送信されるパケットの受信が終了していなければ、受信を繰り返す（S200ないしS210）。コンピュータ1から送信された全ての印刷データを受信した後に、印刷装置2および3は印刷処理を行う（S212）。」（第3頁左欄第24行〜第4頁右欄第41行）との記載が認められ、これらの記載によれば、引用例1には、
「ネットワーク網4により接続された、コンピュータ1と複数の印刷装置2、3からなる印刷システムであって、前記コンピュータ1は、前記複数の印刷装置2、3のそれぞれから、一斉印刷データ受信可の受信応答を受信する受信応答受信手段と、前記受信応答受信手段によって前記印刷装置2、3のそれぞれから前記受信応答が受信された後、前記複数の印刷装置2、3に一斉印刷データのデータパケットを送信する一斉印刷データ送信手段とを有し、前記印刷装置2、3のそれぞれは、前記印刷装置2、3の一斉印刷データ受信可の受信応答を前記コンピュータ1に送信する発信パケット生成部26と、前記データパケットを受信する受信パケット処理部22と、前記一斉印刷データに基づいて印刷するプリントエンジン部40とを有する印刷システム。」（以下、引用例1発明という。）が開示されている。
　同じく、引用された特開平10-285322号公報（以下、「引用例2」という。）には、「画像処理システムにおいて、画像処理装置と複数の画像形成装置を同期転送方式でデータ転送が可能なシリアルバスにより接続すること。」、及び、「画像処理装置と画像形成装置を同期転送方式でデータ転送が可能なシリアルバスにより接続した画像処理システムにおいて、画像処理装置が、同期転送方式で、画像形成装置に画像データを転送し、画像形成装置が、同期転送方式で、画像データを受信するようにすること。」が記載されている。
　同じく、引用された特開平10-285246号公報（以下、「引用例3」という。）には、「画像処理装置と画像形成装置を同期転送方式でデータ転送が可能なシリアルバスにより接続した画像処理システムにおいて、画像処理装置が、同期転送方式で、画像形成装置に画像データを転送し、画像形成装置が、同期転送方式で、画像データを受信するようにすること。」が記載されている。
　同じく、引用された特開平9-164730号公報（以下、「引用例4」という。）には、「画像処理部が、画像形成部から用紙情報が受信された後、画像形成部に画像データを転送するようにした画像処理システムにおいて、用紙情報として給紙完了通知を用いること。」が記載されている。
　
【３】対比・判断
（対比）
　本願の請求項1に係る発明（以下、「本願発明」という。）と引用例1発明とを対比すると、引用例1発明の「コンピュータ1」、「印刷装置2、3」、「印刷システム」、「受信応答受信手段」、「一斉印刷データ」、「発信パケット生成部26」、「受信パケット処理部22」、「プリントエンジン部40」のそれぞれは、「画像処理装置」、「画像形成装置」、「画像処理システム」、「状態受信手段」、「画像データ」、「状態送信手段」、「画像データ受信手段」、「画像形成手段」のそれぞれに相当するので、両者は、「ネットワーク網により接続された、画像処理装置と複数の画像形成装置からなる画像処理システムであって、前記画像処理装置は、前記複数の画像形成装置のそれぞれから、画像形成装置の状態を受信する状態受信手段と、前記複数の画像形成装置に画像データのデータパケットを転送する画像データ転送手段とを有し、前記複数の画像形成装置のそれぞれは、前記画像形成装置の状態を前記画像処理装置に送信する状態送信手段と、前記データパケットを受信する画像データ受信手段と、前記画像データに基づいて画像形成する画像形成手段とを有する画像処理システム」である点で一致し、以下の（ａ）、（ｂ）の各点で相違している。
（ａ）本願発明においては、画像処理装置と複数の画像形成装置を同期転送方式でデータ転送が可能なシリアルバスにより接続し、画像処理装置が、同期転送方式で、画像データのデータパケットを転送するようにし、画像形成装置が、同期転送方式で、画像データのデータパケットを受信するようにしているのに対して、引用例1発明においては、このようにしていない点。
（ｂ）本願発明においては、画像処理装置が、複数の画像形成装置のそれぞれから、給紙完了通知を受信する給紙完了受信手段を有し、複数の画像形成装置が、給紙完了通知を画像処理装置に送信する給紙完了通知手段を有し、画像処理装置が、給紙完了受信手段によって複数の画像形成装置のそれぞれから給紙完了通知が受信された後、複数の画像形成装置に画像データのデータパケットを転送するようにしているのに対して、引用例1発明においてはこのようにしていない点。
（判断）
　相違点（ａ）について、
「画像処理システムにおいて、画像処理装置と複数の画像形成装置を同期転送方式でデータ転送が可能なシリアルバスにより接続すること。」は、引用例2に記載されており、また、「画像処理装置と画像形成装置を同期転送方式でデータ転送が可能なシリアルバスにより接続した画像処理システムにおいて、画像処理装置が、同期転送方式で、画像データを転送するようにし、画像形成装置が、同期転送方式で、画像データを受信するようにすること。」は、引用例2、3に記載されているから、引用例1発明においても、引用例2、3の記載事項を参酌して本願発明のように構成することは当業者が容易になし得ることである。
　相違点（ｂ）について、
　画像処理システムにおいて、画像処理装置が、画像形成装置から用紙情報を受信する用紙情報受信手段を有し、画像形成装置が、用紙情報を画像処理装置に送信する用紙情報通知手段を有し、画像処理装置が、用紙情報受信手段によって、画像形成装置から用紙情報が受信された後、画像形成装置に画像データを転送するようにすることは周知のことであり（例えば、特開昭63-12017号公報の記載参照）、また、「画像処理部が、画像形成部から用紙情報が受信された後、画像形成部に画像データを転送するようにした画像処理システムにおいて、用紙情報として給紙完了通知を用いること。」は、引用例4に記載されており、さらに、画像処理装置が、複数の画像形成装置のそれぞれから給紙完了通知が受信された後、画像形成装置に画像データを転送するようにすることも、必要に応じて適宜なし得る設計事項であるから、引用例1発明においても、前記周知事項、及び、引用例4の記載事項を参酌して本願発明のように構成することは当業者が容易になし得ることである。
　また、本願発明のように構成することによる作用効果も、各引用例の記載及び周知事項からみて、格別のものでもない。
　
【４】むすび
　したがって、本願の請求項1に係る発明は、引用例1〜4、及び、周知技術に基づいて、当業者が容易に発明をすることができたものであるから、特許法第29条第2項の規定により、特許を受けることができない。
　よって、結論のとおり審決する。